(57)【要約】【課題】  本発明は地震で左右の床躯体が不等沈下しても、目地プレートがガタ付いたりするのを効率よく阻止でき、長期間安全に使用することができる床用目地装置を得るにある。【解決手段】  左右の床躯体間の目地部を、地震で目地部が狭くなるように揺れ動くと、一方の床躯体あるいは両方の床躯体上へ乗り上げて、その揺れ動きを吸収する目地プレートを備えた床用目地装置において、前記目地プレートの遊端部の底面に下方へ突出するガタ付き防止用支持突片を設けて床用目地装置を構成している。【選択図】  図２
2010265669.tif 000002
【特許請求の範囲】
【請求項１】
左右の床躯体間の目地部を、地震で目地部が狭くなるように揺れ動くと、一方の床躯体あるいは両方の床躯体上へ乗り上げて、その揺れ動きを吸収する目地プレートを備えた床用目地装置において、前記目地プレートの遊端部の底面に下方へ突出するガタ付き防止用支持突片を設けたことを特徴とする床用目地装置。
【請求項２】
目地プレートの遊端部は反目地側が傾斜面に形成された目地プレートスライド支持凹部が形成された床躯体に支持され、左右の床躯体が地震で不等沈下しても、目地プレートの中央部が前記目地プレートスライド支持凹部の目地部側端部と当接しないようにガタ付き防止用支持突片が形成されていることを特徴とする請求項１記載の床用目地装置。
【発明の詳細な説明】
【技術分野】
【０００１】
本発明は左右の床躯体間の目地部を覆う目地プレートを用いた床用目地装置に関する。
【背景技術】
【０００２】
従来の床用目地装置は、一方の床躯体に反目地部側が傾斜面に形成された目地プレートスライド支持凹部と、他方の床躯体に目地プレートの後端部を支持する目地プレート支持凹部を形成し、該目地プレート支持凹部および前記目地プレートスライド支持凹部とに浅皿状の目地プレートを支持させている。
【０００３】
このように構成された床用目地装置は、地震によって左右の床躯体が不等沈下した場合、目地プレートの中央部側の底面が目地プレートスライド支持凹部の目地部側端部と当接して浮き上がった状態となってガタ付くという欠点があった。
【先行技術文献】
【特許文献】
【０００４】
【特許文献１】特許３５００３３７
【発明の概要】
【発明が解決しようとする課題】
【０００５】
本発明は以上のような従来の欠点に鑑み、地震で左右の床躯体が不等沈下しても、目地プレートがガタ付いたりするのを効率よく阻止でき、長期間安全に使用することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は左右の床躯体間の目地部を、地震で目地部が狭くなるように揺れ動くと、一方の床躯体あるいは両方の床躯体上へ乗り上げて、その揺れ動きを吸収する目地プレートを備えた床用目地装置において、前記目地プレートの遊端部の底面に下方へ突出するガタ付き防止用支持突片を設けて床用目地装置を構成している。
【発明の効果】
【０００９】
以上の説明から明らかなように、本発明にあっては次に列挙する効果が得られる。
（１）左右の床躯体間の目地部を、地震で目地部が狭くなるように揺れ動くと、一方の床躯体あるいは両方の床躯体上へ乗り上げて、その揺れ動きを吸収する目地プレートを備えた床用目地装置において、前記目地プレートの遊端部の底面に下方へ突出するガタ付き防止用支持突片を設けたので、地震で左右の床躯体が不等沈下しても、目地プレートの遊端部の底面のガタ付き防止用支持突片によって、目地プレートの中央部側が床躯体の目地部側端部と当接するのを効率よく阻止することができる。
したがって、目地プレートが浮き上がるのを阻止して、ガタ付くのを効率よく防止することができる。
（２）前記（１）によって、目地プレートの遊端部の底面にガタ付き防止用支持突片を設けるだけでよいので、容易で、かつ安価に製造することができる。
（３）前記（１）によって、目地プレートの遊端部の底面のガタ付き防止用支持突片によって、目地プレートのスライド移動時の床躯体との接触はガタ付き防止用支持突片だけであるため、抵抗が小さく、スムーズに目地プレートをスライド移動させることができる。
（４）請求項２も前記（１）〜（３）と同様な効果が得られる。
【図面の簡単な説明】
【００１０】
【図１】本発明を実施するための第１の形態の平面図。
【図２】図1の２−２線に沿う断面図。
【図３】本発明を実施するための第１の形態の目地プレートの斜視図。
【図４】本発明を実施するための第１の形態の目地部が広くなった動作説明図。
【図５】本発明を実施するための第１の形態の目地部が狭くなった動作説明図。
【図６】左右の床躯体が不等沈下した状態の説明図。
【図７】本発明を実施するための第２の形態の平面図。
【図８】図7の８−８線に沿う断面図。
【図９】本発明を実施するための第２の形態の目地プレートの斜視図。
【図１０】本発明を実施するための第３の形態の平面図。
【図１１】図１０の１１−１１線に沿う断面図。
【図１２】本発明を実施するための第３の形態の目地プレートの斜視図。
【図１３】本発明を実施するための第４の形態の平面図。
【図１４】図１３の１４−１４線に沿う断面図。
【図１５】本発明を実施するための第４の形態の目地プレートの斜視図。
【図１６】本発明を実施するための第５の形態の平面図。
【図１７】図１６の１７−１７線に沿う断面図。
【図１８】本発明を実施するための第５の形態の目地プレートの斜視図。
【図１９】本発明を実施するための第６の形態の平面図。
【図２０】図１９の２０−２０線に沿う断面図。
【図２１】本発明を実施するための第６の形態の目地プレートの斜視図。
【図２２】本発明を実施するための第７の形態の平面図。
【図２３】図２２の２３−２３線に沿う断面図。
【図２４】本発明を実施するための第７の形態の目地プレートの斜視図。
【図２５】本発明を実施するための第８の形態の平面図。
【図２６】図２５の２６−２６線に沿う断面図。
【図２７】本発明を実施するための第８の形態の目地プレートの斜視図。
【発明を実施するための形態】
【００１１】
以下、図面に示す本発明を実施するための形態により、本発明を詳細に説明する。
【００１２】
図１ないし図６に示す本発明を実施するための第１の形態において、１は左右の床躯体２、２間の目地部３を覆う本発明の床用目地装置で、この床用目地装置1は前記左右の床躯体２、２の一方の床躯体２に反目地部が傾斜面４に形成された目地プレートスライド支持凹部５と、この目地プレートスライド支持凹部５に先端部が左右方向にスライド移動可能に支持され、後端部が該目地プレートスライド支持凹部５と対応する部位の目地部側の他方の床躯体２に固定されたアングル状の支持金具６に支持され、かつ先端部が上方へ回動可能に該支持金具６に形成された貫通孔７を通過して螺合固定されたスプリング８を介装したボルト９で取付けられた目地プレート１０とで構成されている。
【００１３】
前記目地プレート１０は金属材で形成された浅皿状の目地プレート本体１１と、この目地プレート本体１１の遊端部である先端部の底面に下方へ等脚台形状に突出するガタ付き防止用支持突片１２と、前記目地プレート本体１１内に充填されたモルタルやコンクリート１３および、このモルタルやコンクリート１３の上面を覆う床化粧板１４と、前記目地プレート本体１１の先端上部にヒンジ部材１５を介して取付けられたカバープレート１６とで構成されている。
【００１４】
上記構成の床用目地装置１は、通常時には図２に示すように一方の床躯体２、目地プレート１０および他方の床躯体２の上面はほぼ同一面となっている。
【００１５】
地震で目地部３が広くなるように揺れ動くと、図４に示すように目地プレート１０の先端部の底面のガタ付き防止用支持突片１２が目地プレートスライド支持凹部５内をスライド移動して、その揺れ動きを吸収する。
この時、目地プレート１０のガタ付き防止用支持突片１２だけが目地プレートスライド支持凹部５と接触するため、接触面積が小さく、スムーズにスライド移動させることができる。
【００１６】
地震で目地部３が狭くなるように揺れ動くと、図５に示すように目地プレート１０の先端部のガタ付き防止用支持突片１２が傾斜面４や一方の床躯体２上をスライド移動して、その揺れ動きを吸収する。
【００１７】
地震により左右の床躯体２、２が不等沈下した場合、図６に示すように目地プレート１０の先端底面のガタ付き防止用支持突片１２を支点として回動した状態となり、目地プレート１０の底面中央部が目地プレートスライド支持凹部５の目地部側端部と当接して、目地プレート１０がガタ付くのを効率よく阻止することができる。  
【００１８】
[発明を実施するための異なる形態]
次に、図７ないし図２７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図７ないし図９に示す本発明を実施するための第２の形態において、前記本発明を実施するための第１の形態と主に異なる点は、目地プレートスライド支持凹部５と対応する部位の他方の床躯体２の目地部側に目地プレート１０の後端部を支持する目地プレート支持凹部１７を形成するとともに、該目地プレート支持凹部１７に上部が反目地部側に傾斜する目地プレート１０の両側部寄りに位置する係止ピン１８、１８を固定し、この係止ピン１８、１８が挿入される係止ピン係合ボックス１９、１９を目地プレート１０の後部両側寄りの部位に取付けた点で、このように構成した床用目地装置１Ａにしても、前記本発明を実施するための第１の形態と同様な作用効果が得られる。
【００２０】
図１０ないし図１２に示す本発明を実施するための第３の形態において、前記本発明を実施するための第１の形態と主に異なる点は、山形状のガタ付き防止用支持突片１２Ａを形成した目地プレート１０Ａを用いた点で、このような目地プレート１０Ａを用いて構成した床用目地装置１Ｂにしても、前記本発明を実施するための第１の形態と同様な作用効果が得られる。
【００２１】
図１３ないし図１５に示す本発明を実施するための第４の形態において、前記本発明を実施するための第１の形態と主に異なる点は、台形状のガタ付き防止用支持突片１２Ｂを形成した目地プレート１０Ｂを用いた点で、このような目地プレート１０Ｂを用いて構成した床用目地装置１Ｃにしても、前記本発明を実施するための第１の形態と同様な作用効果が得られる。
【００２２】
図１６ないし図１８に示す本発明を実施するための第５の形態において、前記本発明を実施するための第１の形態と主に異なる点は、半円弧状のガタ付き防止用支持突片１２Ｃを形成した目地プレート１０Ｃを用いた点で、このような目地プレート１０Ｃを用いて構成した床用目地装置１Ｄにしても、前記本発明を実施するための第１の形態と同様な作用効果が得られる。
【００２３】
図１９ないし図２１に示す本発明を実施するための第６の形態において、前記本発明を実施するための第１の形態と主に異なる点は、四角形状のガタ付き防止用支持突片１２Ｄを形成した目地プレート１０Ｄを用いた点で、このような目地プレート１０Ｄを用いて構成した床用目地装置１Ｅにしても、前記本発明を実施するための第１の形態と同様な作用効果が得られる。
【００２４】
図２２ないし図２４に示す本発明を実施するための第７の形態において、前記本発明を実施するための第２の形態と主に異なる点は、目地プレート１０の後端部の上部にヒンジ部材２０を介してカバープレート２１を取付けた点で、このように構成した床用目地装置１Ｆにしても、前記本発明を実施するための第２の形態と同様な作用効果が得られる。
【００２５】
図２５ないし図２７に示す本発明を実施するための第８の形態において、前記本発明を実施するための第７の形態と主に異なる点は、左右の床躯体２、２の目地部側に目地プレートスライド支持凹部５、５を形成するとともに、両遊端部の底面にガタ付き防止用支持突片１２、１２を形成した目地プレート１０Ｅを用い、かつこの目地プレート１０Ｅの中央部を常時目地部３の中央部に位置させる中央維持機構２２、２２を用いた点で、このように構成された床用目地装置１Ｇにしても、前記本発明を実施するための第７の形態と同様な作用効果が得られる。
【００２６】
なお、前記中央維持機構２２、２２は現在考えられている構造であれば、どんな構造であってもよい。
【産業上の利用可能性】
【００２７】
本発明は床用目地装置を製造する産業で利用される。
【符号の説明】
【００２８】
１、１Ａ、１Ｂ、１Ｃ、１Ｄ、１Ｆ、１Ｇ：床用目地装置、
２：床躯体、        ３：目地部、
４：傾斜面、          
５：目地プレートスライド支持凹部、  
６：支持金具、      ７：貫通孔、
８：スプリング、      ９：ボルト、
１０、１０Ａ、１０Ｃ、１０Ｄ、１０Ｅ：目地プレート、
１１：目地プレート本体、
１２、１２Ａ、１２Ｂ、１２Ｃ、１２Ｄ：ガタ付き防止用支持突片、
１３：モルタルやコンクリート、  １４：床化粧板、
１５：ヒンジ部材、      １６：カバープレート、
１７：目地プレート支持凹部、  １８：係止ピン、
１９：係止ピン係合ボックス、  ２０：ヒンジ部材、
２１：カバープレート、    ２２：中央維持装置。
【図１】
2010265669.tif 000003
【図２】
2010265669.tif 000004
【図３】
2010265669.tif 000005
【図４】
2010265669.tif 000006
【図５】
2010265669.tif 000007
【図６】
2010265669.tif 000008
【図７】
2010265669.tif 000009
【図８】
2010265669.tif 000010
【図９】
2010265669.tif 000011
【図１０】
2010265669.tif 000012
【図１１】
2010265669.tif 000013
【図１２】
2010265669.tif 000014
【図１３】
2010265669.tif 000015
【図１４】
2010265669.tif 000016
【図１５】
2010265669.tif 000017
【図１６】
2010265669.tif 000018
【図１７】
2010265669.tif 000019
【図１８】
2010265669.tif 000020
【図１９】
2010265669.tif 000021
【図２０】
2010265669.tif 000022
【図２１】
2010265669.tif 000023
【図２２】
2010265669.tif 000024
【図２３】
2010265669.tif 000025
【図２４】
2010265669.tif 000026
【図２５】
2010265669.tif 000027
【図２６】
2010265669.tif 000028
【図２７】
2010265669.tif 000029